(57)【要約】【課題】データドライバのＤ／Ａ変換器のビット数を上げなくても、階調を犠牲にすることなく適切に画素毎の発光輝度ばらつきを補正できるようにする。【解決手段】画素が発光する１発光サイクル（例えば１フィールド期間）に、表示データ信号による階調値で発光する主発光期間と、画素毎に設定された補正値に応じた階調値で発光する補正発光期間としての発光動作を行う。即ち各画素には表示データ信号と補正値が時分割的に与えられ、各画素は、それぞれに応じた発光動作を１発光サイクル内で実行する。【選択図】図５
2010151890.tif 000002
【特許請求の範囲】
【請求項１】
複数の発光画素がマトリクス状に配置される表示パネル部と、
上記表示パネル部の各画素を、入力された表示データ信号に基づいて発光駆動する表示駆動部と、
上記発光画素のそれぞれ、又は所定の発光画素群毎のそれぞれについての補正値を記憶する補正値格納部と、
上記発光画素のそれぞれについての１発光サイクルの発光階調を指定する信号として、表示データ信号と、上記補正値格納部に格納された補正値に基づく補正信号とを、異なるタイミングで上記表示駆動部に与えることで、上記発光画素のそれぞれが、１発光サイクルにおいて、表示データ信号に応じて発光する主発光期間と、補正信号に応じて発光する補正発光期間を有する発光動作を行うようにする信号処理部と、
を備えた表示装置。
【請求項２】
上記補正値格納部に記憶する補正値は、上記発光画素のそれぞれ、又は所定の発光画素群毎のそれぞれの発光輝度ばらつきを補正する補正値である請求項１に記載の表示装置。
【請求項３】
上記補正値格納部は、
上記発光画素のそれぞれ、又は所定の発光画素群毎のそれぞれについての補正値を記憶するとともに、上記信号処理部が、各画素について出力する上記補正信号を、その画素について出力する表示データ信号の階調に応じて得ることができるようにする情報を記憶している請求項２に記載の表示装置。
【請求項４】
上記補正値格納部は、
上記発光画素のそれぞれ、又は所定の発光画素群毎のそれぞれについての補正値を記憶するとともに、各補正値について、複数の階調に応じた補正値を記憶する請求項３に記載の表示装置。
【請求項５】
上記表示駆動部は、１列の発光画素が接続された信号線に対して、１水平期間に、基準電位と、上記表示データ信号に応じた信号電位と、上記補正信号に応じた信号電位の３値を供給し、上記表示データ信号に応じた信号電位を、その表示データ信号に対応する発光画素に与え、また上記補正信号に応じた信号電位を、その補正信号に対応する発光画素に与えることで、当該各画素で、上記主発光期間の発光動作と、上記補正発光期間の発光動作が行われるようにする請求項１に記載の表示装置。
【請求項６】
上記表示駆動部は、各発光画素における上記主発光期間又は上記補正発光期間としての発光動作を、その発光画素へ与えた信号電位を消去する処理を行うことで、終了させる請求項５に記載の表示装置。
【請求項７】
上記主発光期間及び上記補正発光期間は、固定の期間である請求項１に記載の表示装置。
【請求項８】
複数の発光画素がマトリクス状に配置される表示パネル部と、
上記表示パネル部の各画素を、入力された表示データ信号に基づいて発光駆動する表示駆動部と、
上記発光画素のそれぞれ、又は所定の発光画素群毎のそれぞれについての補正値を記憶する補正値格納部と、
を備えた表示装置の表示駆動方法として、
上記発光画素のそれぞれについての１発光サイクルの発光階調を指定する信号として、表示データ信号と、上記補正値格納部に格納された補正値に基づく補正信号とを、異なるタイミングで上記表示駆動部に与えることで、上記発光画素のそれぞれが、１発光サイクルにおいて、表示データ信号に応じて発光する主発光期間と、補正信号に応じて発光する補正発光期間を有する発光動作を行うようにする表示駆動方法。
【発明の詳細な説明】
【技術分野】
【０００１】
本発明は表示装置と、表示装置における表示駆動方法に関する。
【背景技術】
【０００２】
【特許文献１】特開２００１−９２４１３号公報
【０００３】
例えば有機エレクトロルミネッセンス（ＥＬ：Electroluminescence）発光素子を用いた表示装置など、自発光素子を用いた表示装置では、画素間の発光輝度のばらつきを無くして画面上に生じるムラを無くすことが重要である。
画素の発光輝度のばらつきは、パネル製造時の初期状態でも生じるが、経時変化によっても生じる。
有機ＥＬパネルにおけるパネル上に発生するムラを補正する手法として、ビデオ信号を各ＥＬ素子に対応したガンマ補正を行う方法は、上記特許文献１に開示されている。
【発明の開示】
【発明が解決しようとする課題】
【０００４】
有機ＥＬパネルの各画素に与える表示データ信号、即ち発光輝度を指定する信号を、画素毎に補正することで、画素毎の発光輝度のばらつきの影響を無くし、パネルムラを低減又は解消できる。
ここで、表示データ信号は、有機ＥＬパネルの信号線を駆動するデータドライバに供給され、データドライバが各信号線に表示データ信号に応じた信号値を与えることで、各画素の信号値が書き込まれ、各画素が表示データ信号に応じた輝度で発光する。信号線とは、例えばマトリクス状に各画素が配置された画素アレイの、１列毎に対応して形成されている。そして信号線に印加された信号値電位は、ゲートドライバによって選択される行の画素に書き込まれる。
【０００５】
ここで、仮に表示データ信号が８ビットデータであるとし、２５６階調を表現するデータであるとすると、データドライバは、８ビットデータに応じて信号線電位を発生させる。つまりデータドライバには８ビット分解能のＤ／Ａ変換器が搭載される。
ところが、表示データ信号を補正してデータドライバに供給することを考えると、Ｄ／Ａ変換器のビット数を上げる必要が生じる。
例えば８ビットの表示データ信号につき、仮に２ビットを補正演算用に用いるものとした場合、データドライバは１０ビットのＤ／Ａ変換器が必要になる。
逆にデータドライバのＤ／Ａ変換器が８ビット分解能であることを前提としたうえで、２ビットを補正演算に用いるとすると、表示データ信号を６ビットとし、画像の階調を犠牲にしなければならない。
【０００６】
つまり、表示データ信号を画素毎に補正することでパネルムラを低減させる方式を採る場合、データドライバのＤ／Ａ変換器のビット数を上げる必要があり、これによってコストアップが生ずる。一方で、Ｄ／Ａ変換器のビット数を変えずに補正処理を行うようにすると、階調が犠牲になり画質が低下する。
【０００７】
そこで本発明では、表示パネル部を駆動する表示駆動部内のデータドライバのＤ／Ａ変換器のビット数を上げなくても、階調を犠牲にすることなく適切に画素毎の発光輝度ばらつきを補正でき、パネル上の輝度ムラを低減又は解消できる補正方式を提供する。
【課題を解決するための手段】
【０００８】
本発明の表示装置は、複数の発光画素がマトリクス状に配置される表示パネル部と、上記表示パネル部の各画素を、入力された表示データ信号に基づいて発光駆動する表示駆動部と、上記発光画素のそれぞれ、又は所定の発光画素群毎のそれぞれについての補正値を記憶する補正値格納部と、信号処理部とを備える。信号処理部は、上記発光画素のそれぞれについての１発光サイクルの発光階調を指定する信号として、表示データ信号と、上記補正値格納部に格納された補正値に基づく補正信号とを、異なるタイミングで上記表示駆動部に与えることで、上記発光画素のそれぞれが、１発光サイクルにおいて、表示データ信号に応じて発光する主発光期間と、補正信号に応じて発光する補正発光期間を有する発光動作を行うようにする。
【０００９】
また上記補正値格納部に記憶する補正値は、上記発光画素のそれぞれ、又は所定の発光画素群毎のそれぞれの発光輝度ばらつきを補正する補正値である。
また上記補正値格納部は、上記発光画素のそれぞれ、又は所定の発光画素群毎のそれぞれについての補正値を記憶するとともに、上記信号処理部が、各画素について出力する上記補正信号を、その画素について出力する表示データ信号の階調に応じて得ることができるようにする情報を記憶している。
例えば上記補正値格納部は、上記発光画素のそれぞれ、又は所定の発光画素群毎のそれぞれについての補正値を記憶するとともに、各補正値について、複数の階調に応じた補正値を記憶する。
【００１０】
また上記表示駆動部は、１列の発光画素が接続された信号線に対して、１水平期間に、基準電位と、上記表示データ信号に応じた信号電位と、上記補正信号に応じた信号電位の３値を供給し、上記表示データ信号に応じた信号電位を、その表示データ信号に対応する発光画素に与え、また上記補正信号に応じた信号電位を、その補正信号に対応する発光画素に与えることで、当該各画素で、上記主発光期間の発光動作と、上記補正発光期間の発光動作が行われるようにする。
また上記表示駆動部は、各発光画素における上記主発光期間又は上記補正発光期間としての発光動作を、その発光画素へ与えた信号電位を消去する処理を行うことで、終了させる。
また上記主発光期間及び上記補正発光期間は、固定の期間とする。
【００１１】
本発明の表示駆動方法は、複数の発光画素がマトリクス状に配置される表示パネル部と、上記表示パネル部の各画素を、入力された表示データ信号に基づいて発光駆動する表示駆動部と、上記発光画素のそれぞれ、又は所定の発光画素群毎のそれぞれについての補正値を記憶する補正値格納部とを備えた表示装置の表示駆動方法である。そして、上記発光画素のそれぞれについての１発光サイクルの発光階調を指定する信号として、表示データ信号と、上記補正値格納部に格納された補正値に基づく補正信号とを、異なるタイミングで上記表示駆動部に与えることで、上記発光画素のそれぞれが、１発光サイクルにおいて、表示データ信号に応じて発光する主発光期間と、補正信号に応じて発光する補正発光期間を有する発光動作を行うようにする。
【００１２】
即ち本発明は、画素が発光する１発光サイクル（例えば１フィールドの期間）において、表示データ信号による階調値で発光する主発光期間と、画素毎に設定された補正値に応じた階調値で発光する補正発光期間としての発光動作を行うようにする。換言すれば、各画素には表示データ信号と補正値が時分割的に与えられ、各画素は、それぞれに応じた発光動作を１発光サイクル内で実行する。表示データ信号自体が補正値によって補正されるものではない。
各画素には、表示駆動部内のデータドライバが、信号値電位（発光階調の電位）を与えることとなるが、主発光期間の発光のためには表示データ信号に基づく信号値電位を与え、補正発光期間の発光のためには補正値に基づく信号値電位を与える。このように時分割的に各信号値電位を与えることになるため、表示データ信号に基づく信号値電位の処理の際にＤ／Ａ変換器のビット数の一部を補正演算用に用いるということはない。
そして各画素は、主発光期間で表示データ信号に基づく階調で発光することで、映像表示を行い、さらに補正発光期間に画素毎の補正値による発光で、他の画素とのバラツキを補正する発光を行う。これによってパネル輝度ムラが低減又は解消される。
【発明の効果】
【００１３】
本発明では、表示データ信号と補正値が時分割的にそれぞれ独立して表示駆動部に与えられ、表示駆動部は表示パネル部の各画素を時分割的に主発光期間の発光と補正発光期間の発光を１発光サイクル内で実行させる。これにより、各画素の発光輝度のばらつきを補正し、パネル上の輝度ムラを解消又は低減できる。
そして表示駆動部は表示パネル部の各画素に対して、表示データ信号に基づく信号値電位と、補正値に基づく信号値電位を時分割的に与えるものであり、補正値で補正された表示データ信号による信号値電位を与えるものではない。従って補正のためにＤ／Ａ変換器のビット数を増加させる必要はない。このためコストアップを生じない。
また、表示データ信号と補正値はそれぞれ独立制御されるものであり、信号処理部では処理が単純化でき、さらに補正値の設定により補正精度を高めることも可能である。
【発明を実施するための最良の形態】
【００１４】
以下、本発明の実施の形態としての有機ＥＬ表示装置を説明していく。説明は次の順序で行う。
［１．有機ＥＬ表示装置の構成］
［２．補正発光期間を加えた画素発光動作］  
［３．第１の信号処理例］
［４．第２の信号処理例］
［５．変形例］
【００１５】
［１．有機ＥＬ表示装置の構成］
図１に実施の形態の表示装置１の要部の構成を示す。
本例の表示装置１は、有機ＥＬ素子を発光素子として用いるディスプレイパネルとして有機ＥＬパネル５を有する。有機ＥＬパネル５は、ゲートドライバ３及びデータドライバ４によって表示駆動される。
【００１６】
そして有機ＥＬパネル５に対して供給する表示データ信号について処理を行う部位として、信号処理部２が設けられる。信号処理部２は、表示データ信号が入力されると、所要の処理を行い、処理後の表示データ信号をデータドライバ４に出力する。また垂直同期信号、水平同期信号をゲートドライバ３及びデータドライバ４に供給する。
【００１７】
補正値格納部６は、有機ＥＬパネル５における各画素に対応した補正値を格納するメモリである。例えば不揮発性メモリ等で構成される。この補正値は、画素間の輝度ばらつきを解消するために設定された補正値である。
表示動作時には、信号処理部２は、補正係数格納部６に格納された補正値を用いて各画素の発光輝度補正が行われるようにする。
詳しくは後述するが本例の場合、信号処理部２は、各画素に与える表示データ信号の信号値（発光輝度としての階調値）をデータドライバ４に出力するが、補正値格納部６に記憶された補正値も表示データ信号とは異なるタイミングでデータドライバ４に出力する。
【００１８】
信号処理部２が例えば表示データ信号に加えて補正値をデータドライバ４に出力することで、画素間の発光輝度ばらつきが解消され、表示画面上で輝度ムラが生じないようにされる。
仮に全画素を同一の表示データ信号値（階調値）で発光させると、本来は画面上では輝度ムラは生じないはずであるが、実際には各画素には発光輝度ムラが存在するため、パネル上で均一な輝度の表示が行われない。
そこで、そのような各画素間の輝度ばらつきを解消する補正値を予め設定しておき、表示データ信号による発光とは別に補正値による発光も各画素に実行させることで、画面上の輝度ムラを解消又は低減させる。
【００１９】
図２、図３を参照して有機ＥＬパネル５、及び有機ＥＬパネル５の駆動を行うゲートドライバ３、データドライバ４について述べる。
図２に有機ＥＬパネル５、ゲートドライバ３、データドライバ４の構成の一例を示す。有機ＥＬパネル５は、有機ＥＬ素子を発光素子とし、アクティブマトリクス方式で発光駆動を行う画素回路１０を含むものである。
【００２０】
図２に示すように、有機ＥＬディスプレイパネルモジュール３は、画素回路１０が列方向と行方向にマトリクス状に配列された画素アレイとして構成される。なお、画素回路１０には「Ｒ」「Ｇ」「Ｂ」を付しているが、これはＲ（赤）、Ｇ（緑）、Ｂ（青）の各色の発光画素であることを示している。
【００２１】
そして各画素回路１０を駆動するため、データドライバ４と、ゲートドライバ３が設けられる。ゲートドライバ３はドライブスキャナ１１とライトスキャナ１２を備える。
またデータドライバ４により選択され、表示データ信号の信号値（階調値）に応じた電圧を画素回路１０に供給する信号線ＤＴＬ１、ＤＴＬ２・・・が、画素アレイ上で列方向に配されている。信号線ＤＴＬ１、ＤＴＬ２・・・は、画素アレイにおいてマトリクス配置された画素回路１０の列数分だけ配される。
【００２２】
また画素アレイ上に、行方向に書込制御線ＷＳＬ１，ＷＳＬ２・・・、電源制御線ＤＳＬ１，ＤＳＬ２・・・が配されている。これらの書込制御線ＷＳＬ及び電源制御線ＤＳＬは、それぞれ、画素アレイにおいてマトリクス配置された画素回路１０の行数分だけ配される。
書込制御線ＷＳＬ（ＷＳＬ１，ＷＳＬ２・・・）はライトスキャナ１２により駆動される。ライトスキャナ１２は、設定された所定のタイミングで、行状に配設された各書込制御線ＷＳＬ１，ＷＳＬ２・・・に順次、走査パルスＷＳ（ＷＳ１，ＷＳ２・・・）を供給して、画素回路１０を行単位で線順次走査する。
電源制御線ＤＳＬ（ＤＳＬ１，ＤＳＬ２・・・）はドライブスキャナ１１により駆動される。ドライブスキャナ１１は、ライトスキャナ１２による線順次走査に合わせて、行状に配設された各電源制御線ＤＳＬ１，ＤＳＬ２・・・に駆動電位（Ｖｃｃ）、初期電位（Ｖｉｎｉ）の２値に切り替わる電源電圧としての電源パルスＤＳ（ＤＳ１，ＤＳ２・・・）を供給する。
データドライバ４は、ライトスキャナ１２による線順次走査に合わせて、列方向に配された信号線ＤＴＬ１、ＤＴＬ２・・・に対して、画素回路１０に対する入力信号としての信号電位（Ｖｓｉｇ）と、補正電位（Ｖｈ）と、基準電位（Ｖｏｆｓ）を供給する。
【００２３】
図３に画素回路１０の構成例を示している。この画素回路１０が、図２の構成における画素回路１０のようにマトリクス配置される。なお、図３では簡略化のため、信号線ＤＴＬと書込制御線ＷＳＬ及び電源制御線ＤＳＬが交差する部分に配される１つの画素回路１０のみを示している。
【００２４】
この画素回路１０は、発光素子である有機ＥＬ素子１５と、１個の保持容量Ｃｓと、サンプリングトランジスタＴｒＳ、駆動トランジスタＴｒＤとしての２個の薄膜トランジスタ（ＴＦＴ）とで構成されている。サンプリングトランジスタＴｒＳ、駆動トランジスタＴｒＤはｎチャネルＴＦＴとされている。
【００２５】
保持容量Ｃｓは、一方の端子が駆動トランジスタＴｒＤのソースに接続され、他方の端子が同じく駆動トランジスタＴｒＤのゲートに接続されている。
画素回路１０の発光素子は例えばダイオード構造の有機ＥＬ素子１５とされ、アノードとカソードを備えている。有機ＥＬ素子１５のアノードは駆動トランジスタＴｒＤのソースｓに接続され、カソードは所定の接地配線（カソード電位Ｖｃａｔｈ）に接続されている。
サンプリングトランジスタＴｒＳは、そのドレインとソースの一端が信号線ＤＴＬに接続され、他端が駆動トランジスタＴｒＤのゲートに接続される。またサンプリングトランジスタＴｒＳのゲートは書込制御線ＷＳＬに接続されている。
駆動トランジスタＴｒＤのドレインは電源制御線ＤＳＬに接続されている。
【００２６】
有機ＥＬ素子１５の発光駆動は、基本的には次のようになる。
信号線ＤＴＬに信号電位Ｖｓｉｇが印加されたタイミングで、サンプリングトランジスタＴｒＳが書込制御線ＷＳＬによってライトスキャナ１２から与えられる走査パルスＷＳによって導通される。これにより信号線ＤＴＬからの入力信号Ｖｓｉｇが保持容量Ｃｓに書き込まれる。駆動トランジスタＴｒＤは、ドライブスキャナ１１によって駆動電位Ｖｃｃが与えられている電源制御線ＤＳＬからの電流供給により、保持容量Ｃｓに保持された信号電位に応じた電流ＩELを有機ＥＬ素子１に流し、有機ＥＬ素子１を発光させる。
【００２７】
つまり、各フィールド期間において、画素信号値（階調値）が保持容量Ｃｓに書き込まれる動作が行われるが、これにより、階調値によって駆動トランジスタＴｒＤのゲート−ソース間電圧Ｖｇｓが決まる。駆動トランジスタＴｒＤは飽和領域で動作することで有機ＥＬ素子１５に対して定電流源として機能し、ゲート−ソース間電圧Ｖｇｓに応じた電流ＩELを有機ＥＬ素子１５に流す。これによって有機ＥＬ素子１５では、階調値に応じた輝度の発光が行われる。
各画素回路１０に与えられる信号電位Ｖｓｉｇは、その画素に対する表示データ信号値に応じた電圧である。従って各画素回路１０で上記動作が行われることで、表示データ信号に基づく画像表示が行われる。
【００２８】
［２．補正発光期間を加えた画素発光動作］  
本例では上述のように、表示データ信号だけでなく、補正値もデータドライバ４に供給される。そして各画素回路１０では、上記の表示データ信号に基づく発光だけでなく、補正値に基づく発光も行われる。
【００２９】
図４により補正値について説明する。
図４（ａ）は有機ＥＬパネル５における、図２，図３で説明した画素回路１０としての各画素の配列を模式的に示している。
画素アレイでは、Ｒ画素、Ｇ画素、Ｂ画素の３つの画素によるユニットが、垂直方向にＭ個、水平方向にＮ個配設されているとする。
第１行目で第１列（ＲＧＢユニット単位の先頭列）のＲ画素、Ｇ画素、Ｂ画素を、画素Ｒ１１，Ｇ１１，Ｂ１１とする。
第１行目で第Ｎ列（ユニット単位の最終列）のＲ画素、Ｇ画素、Ｂ画素を、画素Ｒ１N，Ｇ１N，Ｂ１Nとする。
第Ｍ行目（最終行）で第１列のＲ画素、Ｇ画素、Ｂ画素を、画素ＲM１，ＧM１，ＢM１とする。
第Ｍ行目で第Ｎ列のＲ画素、Ｇ画素、Ｂ画素を、画素ＲMN，ＧMN，ＢMNとする。
【００３０】
例えばこのような各画素に対応して、補正値格納部６では、図４（ｂ）のように補正値を格納している。
即ちＲ画素群について補正値ＣR11〜ＣRMN、Ｇ画素群について補正値ＣG11〜ＣGMN、Ｂ画素群について補正値ＣB11〜ＣBMNが記憶される。
【００３１】
この各補正値は、各画素の発光輝度ムラを解消するための値である。例えば表示装置の製造過程における最終段階の調整工程で、各画素の輝度ムラを測定し、その輝度ムラに応じた補正値が設定されて、補正値格納部６に書き込まれる。
【００３２】
そして表示動作を行う際には、信号処理部２は、表示データ信号だけでなく、補正値格納部６に記憶された補正値も表示データ信号とは異なるタイミングでデータドライバ４に出力する。
データドライバ４は、各信号線ＤＴＬに表示データ信号に基づく信号電位（Ｖｓｉｇ）を与えるとともに、異なるタイミングで補正値に基づく補正電位（Ｖｈ）を与える。
【００３３】
図５（ａ）に、データドライバ４が１水平期間に信号線ＤＴＬに与える電位波形を示す。データドライバ４は、初期電位（Ｖｏｆｓ）と、補正電位（Ｖｈ）と、信号電位（Ｖｓｉｇ）として信号線ＤＴＬを３値駆動することになる。
【００３４】
１つの画素の１回の発光サイクルとして、１フィールド期間の波形を図５（ｂ）に示す。
図５（ｂ）においては垂直同期信号ＶＤと、電源パルスＤＳと、走査パルスＷＳと、信号線ＤＴＬの電位変化を示している。
この図５（ｂ）により、或る書込制御線ＷＳＬ（ｘ）及び電源制御線ＤＳＬ（ｘ）と、或る信号線ＤＴＬ（ｙ）が交差する箇所の、或る１つの画素回路１０の発光動作を例に挙げて説明する。つまり第ｘ行、第ｙ列の或る１つの画素回路１０（以下、注目画素という）の発光動作である。
【００３５】
データドライバ４は、１水平期間毎に信号線ＤＴＬを図５（ａ）の波形で３値駆動する。つまり１水平期間毎に、接続された各行の画素回路１０に対して初期電位Ｖｏｆｓ、補正電位Ｖｈ、信号電位Ｖｓｉｇを順次信号線ＤＴＬに与えていく。
当該注目画素に対しては、１フィールド期間の所定のタイミングで電源パルスＤＳが駆動電位Ｖｃｃとされ、図３の駆動トランジスタＴｒＤに駆動電位Ｖｃｃが印加される。そして走査パルスＷＳとしてパルスＷＳＰ１，ＷＳＰ２，ＷＳＰ３が、信号線ＤＴＬが初期電位Ｖｏｆｓとされているタイミングで、サンプリングトランジスタＴｒＳのゲートに与えられる。
詳述は避けるが、この期間は、駆動トランジスタＴｒＤのゲート電位を初期電位Ｖｏｆｓに固定した上で、駆動トランジスタＴｒＤの閾値電圧Ｖｔｈを保持容量Ｃｓに保持させ、各画素毎の駆動トランジスタＴｒＤの閾値電圧のバラツキをキャンセルする動作が行われる。
【００３６】
その後、当該注目画素に対する信号値Ｖｓｉｇが信号線ＤＴＬ（ｙ）に与えられるタイミングで、走査パルスＷＳとしてパルスＷＳＰ４によってサンプリングトランジスタＴｒＳが導通され、信号電位Ｖｓｉｇが保持容量Ｃｓに書き込まれる。そして保持容量Ｃｓに書き込まれた信号電位Ｖｓｉｇ、つまりこの場合、駆動トランジスタＴｒＤのゲート−ソース間電圧に応じた電流ＩELが有機ＥＬ素子１５に流れる。これによって当該注目画素の有機ＥＬ素子１５は、信号電位Ｖｓｉｇに応じた輝度の発光を開始する。
この発光期間を主発光期間と呼ぶこととする。
【００３７】
主発光期間の発光は、固定期間として所定の水平期間のあいだ行われる。
その所定数の水平期間の後の水平期間には、データドライバ４は、当該注目画素に対する補正値に応じた補正電位Ｖｈを信号線ＤＴＬ（ｙ）に与える。
このタイミングで、走査パルスＷＳとしてのパルスＷＳＰ５によって当該注目画素のサンプリングトランジスタＴｒＳが導通され、補正電位Ｖｈが保持容量Ｃｓに書き込まれる。そして保持容量Ｃｓに書き込まれた補正電位Ｖｈによって決まる駆動トランジスタＴｒＤのゲート−ソース間電圧に応じた電流ＩELが有機ＥＬ素子１５に流れる。これによって当該注目画素の有機ＥＬ素子１５は、補正電位Ｖｈに応じた輝度の発光を開始する。
この発光期間を補正発光期間と呼ぶこととする。そして補正発光期間の発光は、固定期間として所定の水平期間のあいだ行われる。なお、例えば補正発光期間は、主発光期間より短い期間とされるが、補正発光期間を主発光期間と同等の期間、或いは長い期間としてもよい。
【００３８】
補正発光期間の終了は、イレーズ処理により行われる。
即ち補正発光期間の終了タイミングで、走査パルスＷＳとしてのパルスＷＳＰ６が、信号線ＤＴＬが初期電位Ｖｏｆｓとされているタイミングで、サンプリングトランジスタＴｒＳのゲートに与えられる。これによって保持容量Ｃｓの一端が初期電位Ｖｏｆｓとされている信号線ＤＴＬに接続され、保持されていた補正電位Ｖｈがクリアされる。これによって保持容量Ｃｓにおける補正電位Ｖｈが消去され、有機ＥＬ素子１５に電流ＩELが流れなくなり、発光動作が終了される。
【００３９】
なお、さらに走査パルスＷＳとしてのパルスＷＳＰ７によって同様のイレーズ処理を行っているが、これは、発光終了を確実に行うためである。必ずしも２回行わなければならないものではない。
また、このようなイレーズ処理を行わなくとも、電源パルスＤＳが初期電位Ｖｉｎｉとなることで発光は終了されるため、イレーズ処理は行わず、補正発光期間を電源パルスＤＳが初期電位Ｖｉｎｉとなるタイミングで終わらせるようにしてもよい。
【００４０】
以上が１発光サイクルの動作となる。
この動作から分かるように、データドライバ４が１水平期間毎に信号線ＤＴＬに与える図５（ａ）のような３値駆動波形は、現対象ラインの画素回路１０に対する信号電位Ｖｓｉｇと、その画素回路１０よりも所定ライン前（主発光期間長に相当）の画素回路１０に対する補正電位Ｖｈによる波形となる。
【００４１】
そして、各画素回路１０についてみれば、まず主発光期間として信号電位Ｖｓｉｇ（つまり表示データ信号に基づく信号電位）に応じた発光が行われることで、画面全体として表示データ信号に基づく表示が行われる。また、各画素回路１０は、補正発光期間として補正電位Ｖｈ（つまり画素毎の補正値に応じた電位）に応じた発光が行われることで、画素毎の発光輝度バラツキの補正が行われ、画面全体としての輝度ムラが低減又は解消される。
【００４２】
［３．第１の信号処理例］
以上のような発光駆動を実行させるための信号処理部２の構成例及び処理例を図６で説明する。
図６（ａ）は信号処理部２の構成例を示している。信号処理部２は例えば信号入力部２１，補正値読出部２２、出力信号値生成部２３、同期制御部２４を有する。
【００４３】
入力された表示データ信号は信号入力部２１に取り込まれる。同期制御部２４は、水平同期信号ＨＤ、垂直同期信号ＶＤに応じて各部へタイミング信号を供給する。
信号入力部２１は必要に応じて表示データ信号に対して所定の処理を行い、同期制御部２４からのタイミング信号に基づいて、各画素に与える信号値を出力信号値生成部２３に供給する。
また補正値読出部２２は、同期制御部２４からのタイミング信号に基づいて、各画素に対応する補正値を補正値格納部６から読み出して、出力信号値生成部２３に供給する。ここで、補正値読出部２２が読み出す補正値は、信号入力部２１が信号値を出力信号値生成部２３に与える画素よりも所定水平ライン数前の画素に対応する補正値である。即ち図５（ｂ）の主発光期間に相当する水平ライン数だけずれた画素に対応する補正値である。
これは或る注目画素から見れば、図５（ｂ）に示したように、表示データ信号による信号値が主発光期間の階調値として与えられ、補正値が補正発光期間の階調値として与えられるようにするためである。
【００４４】
出力信号値生成部２３は、同期制御部２４からのタイミング信号に基づいて、信号入力部２１から供給された表示データ信号値と、補正値読出部２２から供給された補正値を、それぞれ１水平期間内に時分割的にデータドライバ４に出力する。
【００４５】
この信号入力部２１の１水平期間内の処理は図６（ｂ）のようになる。即ち信号入力部２１による表示データ信号入力と（Ｆ１０１）、補正値読出部２２による補正値読出と（Ｆ１０２）が行われる。そして出力信号値生成部２３によってデータドライバ４に供給する表示データ信号、即ちこの場合は表示データ信号値と補正値が時分割的に異なるタイミングで合成された表示データ信号が生成され、出力される（Ｆ１０３）。
【００４６】
信号処理部２がこのような処理を行い、データドライバ４は、供給される表示データ信号値と補正値をそれぞれＤ／Ａ変換して、それらに応じた電位（Ｖｓｉｇ，Ｖｈ）を信号線ＤＴＬに与える。これによって図５（ｂ）に示したような、各画素回路１０が主発光期間と補正発光期間の発光を行う動作が実現される。
【００４７】
上述したように、各画素回路１０の有機ＥＬ素子１５のそれぞれの輝度は、信号電位Ｖｓｉｇの電圧値を変化させる事で任意の輝度で発光させることが出来る。しかしながら、画素毎に、駆動トランジスタＴｒＤのばらつき、有機ＥＬ素子１５の効率の違い等で、信号電位Ｖｓｉｇが同じでも発光輝度が異なってしまい、それがムラとなって見えてしまう。
従来技術では、パネルムラを無くすために、表示データ信号に対して決まる信号電位Ｖｓｉｇを、画素毎の輝度ばらつきに応じた係数で補正する方法があった。
本実施の形態では、表示データ信号と信号電位Ｖｓｉｇの関係は全ての画素において一定の係数の関係式で求めて、その信号電位Ｖｓｉｇのレベルで主発光期間において発光させ、その後画素毎のばらつきに応じた補正値によるレベル（補正電位Ｖｈ）で補正発光期間に発光させて画素間のばらつきを補正し、その後消灯する。
【００４８】
この補正方式では、表示データ信号と補正値に応じた信号電位Ｖｓｉｇと補正電位Ｖｈは時分割的に信号線ＤＴＬに与えるため、それぞれの電位発生のためにデータドライバ４のＤ／Ａ変換器の分解能を全て使用する事ができる。つまり表示データ信号の階調を犠牲にすることがなく、画素毎の発光輝度補正を行うことができる。
また、画素毎のばらつきに応じた補正値（補正電位Ｖｈ）も詳細に設定でき、これによって精度の高い補正を行うこともできる。
また信号処理部２では、入力された表示データ信号と補正値をそれぞれ独立して扱うため、処理が単純化できるという利点もある。
【００４９】
［４．第２の信号処理例］
次に、より精度の高い補正を実現する第２の処理例を図７，図８で説明する。
補正値格納部６では、先に図４（ｂ）のように例示したように、各画素毎の補正値を記憶するものとしたが、各画素毎の発光輝度バラツキの度合いは、その発光階調によっても多少異なる。このため、より精密に補正を行うには、各画素毎について、各階調値毎の補正値を持つようにすることが考えられる。
【００５０】
図７に補正値格納部６の記憶内容例を示す。
即ち、各画素に対応する補正値を記憶する領域を、領域６ａ、６ｂ・・・６（ｎ）として多数用意する。例えば表示データ信号が８ビットデータであり、２５６段階の階調表現を行う場合であれば、２５６領域を用意する。そして各階調値毎に、全画素の補正値を記憶するようにする。
【００５１】
なお、全ての階調に対応させて全画素の補正値を記憶すると、補正値格納部６に必要な容量が膨大となる。例えば表示データ信号が１０ビットデータであり１０２４階調を表現するような場合等を考えると、全ての階調に対応することは、あまりに容量負担が大きくなる。
そこで、全ての階調値ではなく、所定数の代表的な階調値を設定し、それぞれの代表階調値に応じて図７のように全画素の補正値を記憶するようにしてもよい。
【００５２】
このように複数の階調に対応して補正値を格納する場合の信号処理部２の構成例及び処理例を図８で説明する。
図８（ａ）は信号処理部２の構成例を示している。信号処理部２は図６（ａ）に示した信号入力部２１，補正値読出部２２、出力信号値生成部２３、同期制御部２４に加え、表示データメモリ２５を有するようにする。
【００５３】
入力された表示データ信号は信号入力部２１に取り込まれる。
信号入力部２１は必要に応じて表示データ信号に対して所定の処理を行い、同期制御部２４からのタイミング信号に基づいて、各画素に与える信号値を出力信号値生成部２３に供給する。また表示データ信号は表示データメモリ２５にも供給され、記憶される。
この表示データメモリ２５は、少なくとも主発光期間に相当する所定水平期間だけ、各表示データ信号を記憶するラインメモリとされればよい。
【００５４】
補正値読出部２２は、同期制御部２４からのタイミング信号に基づいて、各画素に対応する補正値を補正値格納部６から読み出して、出力信号値生成部２３に供給する。ここで、補正値読出部２２が読み出す補正値は、信号入力部２１が信号値を出力信号値生成部２３に与える画素よりも所定水平ライン数前の画素に対応し、かつその画素に与える表示データ信号値に対応する補正値である。
このため、補正値読出部２２は、表示データメモリ２５から、図５（ｂ）の主発光期間に相当する水平ライン数だけずれた画素に与える表示データ信号値を読み出し、その表示データ信号値としての階調値に応じて、図７の領域６ａ，６ｂ・・・６（ｎ）から一の領域を選択する。例えば補正値格納部６に全階調値の領域が確保されていれば、所定水平ライン数前の表示データ信号値に応じた領域を選択する。また代表階調値としての領域が確保されている場合は、所定水平ライン数前の表示データ信号値に対応する代表階調値の領域を選択する。そしてその選択した領域から、該当画素の補正値を読み出して出力信号値生成部２３に供給する。
補正値読出部２２は、全ての画素に対応する表示データ信号値について以上の処理を行って順次補正値を読み出すことになる。
【００５５】
出力信号値生成部２３は、同期制御部２４からのタイミング信号に基づいて、信号入力部２１から供給された表示データ信号値と、補正値読出部２２から供給された補正値を、それぞれ１水平期間内に時分割的にデータドライバ４に出力する。
【００５６】
このような信号入力部２１の１水平期間内の処理は図８（ｂ）のようになる。即ち信号入力部２１による表示データ信号入力と（Ｆ２０１）、表示データ信号値の表示データメモリ２５への記憶と（Ｆ２０２）、補正値読出部２２による補正値読出と（Ｆ２０３）が行われる。そして出力信号値生成部２３によってデータドライバ４に供給する表示データ信号、即ちこの場合は表示データ信号値と補正値が時分割的に異なるタイミングで合成された表示データ信号が生成され、出力される（Ｆ２０４）。
【００５７】
信号処理部２がこのような処理を行い、データドライバ４は、供給される表示データ信号値と補正値をそれぞれＤ／Ａ変換して、それらに応じた電位（Ｖｓｉｇ，Ｖｈ）を信号線ＤＴＬに与える。これによって図５（ｂ）に示したような、各画素回路１０が主発光期間と補正発光期間の発光を行う動作が実現される。
特にこの例の場合、補正値は各画素回路１０から見れば、主発光期間の発光階調に応じた補正値が与えられ、補正発光期間の発光が行われるようになる。
従って、発光階調に応じた補正がより精密に実行される。
【００５８】
なお、代表階調値を格納する場合、表示データ信号値が代表階調値に一致しないときは、その前後の代表階調値から補間演算を行って、表示データ信号値で示される階調に応じた補正値を得るようにしてもよい。
【００５９】
また、図７では複数の階調に応じた補正値を用意するものとしたが、必ずしも複数階調に対応して補正値を記憶しなくても良い。例えば図４（ｂ）の場合でも、階調値に応じた補正値を得ることができる。階調による適切な補正値の変化は、或る程度二次関数或いは一次関数的に推定できる。そこで当該関数演算の係数値を設定しておき、表示データ信号の階調値に応じて、補正値に係数演算を施すことで、階調に対応した補正値を得るようにすることもできる。
【００６０】
［５．変形例］
本発明は、上記の実施の形態に限られず、各種の変形例が考えられる。以下、変形例について述べる。
【００６１】
まず、補正値格納部６は画素毎の補正値を格納するものとしたが、必ずしも画素毎でなくても良い。即ち所定の発光画素群毎のそれぞれについての補正値を記憶する補正値格納部としてもよい。
発光画素群毎とは、例えばライン毎、列毎、画素ブロック毎などである。
【００６２】
図９（ａ）には、画素アレイの各ラインＬ１，Ｌ２・・・ＬMを示しているが、この各ラインの画素群毎に補正値を補正値格納部６に格納することが考えられる。即ちラインＬ１，Ｌ２・・・ＬMのそれぞれについて、補正値ＣL1，ＣL2・・・ＣLMを格納する。そして例えばラインＬ１の画素については、補正値ＣL1を適用して補正発光期間の発光を実行させるという例である。
例えばライン毎の発光輝度バラツキが生じる場合に有効な手法となる。なお、２ライン、３ラインなどの複数ラインを１まとめにして、そのライン群毎に補正値を格納するようにしてもよい。
【００６３】
また図９（ｂ）には、画素アレイの各列ＲＯＷ１，ＲＯＷ２・・・ＲＯＷNを示しているが、この各列の画素群毎に補正値を補正値格納部６に格納することも考えられる。即ち列ＲＯＷ１，ＲＯＷ２・・・ＲＯＷNのそれぞれについて、補正値ＣROW1，ＣROW2・・・ＣROWNを格納する。そして例えば列ＲＯＷ１の画素については、補正値ＣROW1を適用して補正発光期間の発光を実行させるという例である。
例えば列毎の発光輝度バラツキが生じる場合に有効な手法となる。なお、２列、３列などの複数ラインを１まとめにして、そのライン群毎に補正値を格納するようにしてもよい。その場合、Ｒ、Ｇ、Ｂ画素をまとめても良いし、Ｒ、Ｇ、Ｂ各画素で、それぞれ別に列をまとめてもよい。
【００６４】
さらに図９（ｃ）のように、それぞれ所定画素数のブロックＢＫ１１、ＢＫ１２・・・ＢＫｐｑを設定してもよい。この場合ブロックごとに補正値ＣBK11，ＣBK12・・・ＣBKpqを補正値格納部６に格納するようにする。そして例えばブロックＢＫ１１の画素については、補正値ＣBK11を適用して補正発光期間の発光を実行させるという例である。
また、以上のライン毎、列毎、ブロック毎に補正値を格納するという各例において、図７で述べたように複数の階調値に応じた補正値を格納するようにしてもよい。
【００６５】
また実施の形態では、補正値格納部６における補正値は、出荷前に設定して記憶させるものとしたが、画素の発光輝度の経時劣化等に対応するために逐次更新できるようにしてもよい。例えば各画素の発光輝度を測定する光センサを設け、発光輝度を測定し、それに応じて補正値を更新することが考えられる。
又、補正値は、それ自体が補正電位Ｖｈを示す値でなくとも、例えば所定の基準値に対する係数値であってもよいし、図７，図８で述べた例の場合は、表示データ信号値に対する係数値とし、表示データ信号値と演算を行って補正値を得るようにするものであってもよい。
【００６６】
図５で説明した動作例では、各画素はまず主発光期間の発光を行い、その後、補正発光期間の発光を行うものとしたが、先に補正発光期間の発光を行い、その後に主発光期間の発光を行うようにしても良い。
さらに、１発光サイクル内で、補正発光期間を分割して２回以上行ったり、或いは主発光期間の発光を２回以上に分割して行っても良い。
【００６７】
また、主発光期間や補正発光期間の期間長は固定ではなく、可変としてもよい。
例えば補正発光期間は、図５のイレーズ処理のためのパルスＷＳＰ６によって終了されるが、このパルスタイミングを早くしたり、遅らせたりすることで、補正発光期間の期間長を可変できる。
これによって補正値による補正だけでなく、補正発光期間長による補正も可能になり、細かい輝度調整が可能となる。
【００６８】
また図５の場合、パルスＷＳＰ５が主発光期間から補正発光期間へ移行するタイミングを決めるものとなるが、このパルスＷＳＰ５のパルスタイミングを早くしたり、遅らせたりすることで、主発光期間と補正発光期間の長さ、期間比などを可変できる。
但し、このパルスＷＳＰ５のタイミングを可変して主発光期間長が変化する場合は、信号処理部２が、或る特定の画素に対して表示データ信号値と補正値を供給する期間間隔（つまり主発光期間長に相当）を切り替えることも必要となる。
これによって画面全体の輝度調整も可能となる。
【００６９】
画素回路１０としては、図３の構成に限らず、どのような有機ＥＬ画素回路としての各種の構成が考えられる。
また本発明は有機ＥＬパネルを用いた表示装置だけでなく、各種の表示装置、特に自発光画素を用いた表示装置に好適である。
【図面の簡単な説明】
【００７０】
【図１】本発明の実施の形態の表示装置の要部のブロック図である。
【図２】実施の形態の有機ＥＬパネルの説明図である。
【図３】実施の形態の有機ＥＬパネルの画素回路の説明図である。
【図４】実施の形態の画素配列及び補正値格納部の説明図である。
【図５】実施の形態の画素発光動作の説明図である。
【図６】実施の形態の信号処理部の第１の処理例の説明図である。
【図７】実施の形態の補正値格納部の複数階調の補正値格納の説明図である。
【図８】実施の形態の信号処理部の第２の処理例の説明図である。
【図９】実施の形態の変形例の補正値に対応する画素群の説明図である。
【符号の説明】
【００７１】
１  表示装置、２  信号処理部、３  ゲートドライバ、４  データドライバ、５  有機ＥＬパネル、６  補正値格納部、１０  画素回路、１１  ドライブスキャナ、１２  ライトスキャナ
【図１】
2010151890.tif 000003
【図２】
2010151890.tif 000004
【図３】
2010151890.tif 000005
【図４】
2010151890.tif 000006
【図５】
2010151890.tif 000007
【図６】
2010151890.tif 000008
【図７】
2010151890.tif 000009
【図８】
2010151890.tif 000010
【図９】
2010151890.tif 000011